(57)【要約】【課題】前面扉と遊技機本体との隙間を強引に確保して行う不正行為を防止する。【解決手段】上部扉（１３）裏側の補強部材（３６）に取り付けられた封鎖金具（４０）は、略「く」の字型の断面が鉛直方向に連続する柱形状で、補強部材（３６）から本体部材（１２）に向かって突出し、先端部（４０ａ）が上部扉（１３）の閉回転の方向Ｒへ「く」の字に屈曲するように配設される。一方、本体部材（１２）の前面に取り付けられた封鎖金具（４１）は、略「く」の字型の断面が鉛直方向に連続する柱形状で、本体部材（１２）から上部扉（１３）に向かって突出し、先端部（４１ａ）が上部扉（１３）の閉回転の方向Ｒへ「く」の字に屈曲するように配設される。上部扉（１３）が閉じている状態では、本体部材（１２）とそれに取り付けられた封鎖金具（４１）の先端部（４１ａ）との間に、上部扉（１３）に取り付けられた封鎖金具（４０）の先端部（４０ａ）が位置する。【選択図】図４
2008093350.tif 000002
【特許請求の範囲】
【請求項１】
遊技盤が前面に組み付けられた遊技機本体に、透明板とそれを囲う窓枠とからなる前面扉を軸支し、この前面扉が前記遊技盤を露呈する開き位置と、前記遊技盤を覆う閉じ位置との間で回動自在である遊技機において、
前記遊技機本体の前面の軸側の端部には、前記前面扉に向かって突出し、前記前面扉の閉回転の方向に屈曲した本体側隙間封鎖部材が、前記前面扉を軸支する支軸の中心軸線に沿って設けられ、
前記前面扉の背面の軸側の端部には、前記遊技機本体に向かって突出し、前記閉回転の方向に屈曲した扉側隙間封鎖部材が、前記支軸の中心軸線に沿って設けられており、
前記前面扉が前記閉じ位置にあるとき、前記扉側隙間封鎖部材の先端部が前記遊技機本体と前記本体側隙間封鎖部材の先端部との間に入り込んで、前記前面扉と前記遊技機本体との間に生じる、それらの外側から前記遊技盤に連通する隙間を封鎖していることを特徴とする遊技機。
【請求項２】
前記透明板は、ヒンジ部材によって前記窓枠に軸着されており、前記扉側隙間封鎖部材は、前記ヒンジ部材と一体成形されていることを特徴とする請求項１又は２記載の遊技機。
【発明の詳細な説明】
【技術分野】
【０００１】
本発明は、パチンコ店などの遊技場に設置して使用されるパチンコ機などの遊技機に関し、さらに詳しくは、遊技機本体と前面扉との隙間を利用した不正行為を防止する遊技機に関する。
【背景技術】
【０００２】
パチンコ店などの遊技場に設置される遊技機の一つにパチンコ機が挙げられる。このパチンコ機は、遊技媒体としてパチンコ球を用いて遊技が行われるものである。このパチンコ球は、一定の価値が付加されているので、遊技者は、より多くのパチンコ球を獲得することを目的として遊技を行うことになる。
【０００３】
例えば、パチンコ機の遊技が実行されると、遊技領域の上方に向けてパチンコ球が打ち出された後、打ち出されたパチンコ球が遊技領域内を流下する。パチンコ球が遊技領域内を流下する過程で、パチンコ球は遊技領域内に設けられた障害釘や風車、或いはセンター役物と呼ばれる構造物に弾かれながら、その流下方向が変化されることになる。このように、流下方向を変化させながら流下するパチンコ球は、入賞チャッカ、始動チャッカに入賞することになる。この入賞を受けて、入賞に対する賞球としてのパチンコ球が払い出される。
【０００４】
なお、始動チャッカに入賞したときには、賞球の払出しの他、通常の遊技が行われる通常状態から、「大当たり」状態と呼ばれる、遊技者に有利になる遊技状態に移行するか否かの抽選が行われる。この抽選の結果は、センター役物の中央に露呈される液晶パネルにおいて行われる。例えば、抽選で当たりとなるときには、「７−７−７」など、同一の図柄が表示された後、遊技状態が通常状態から、「大当たり」状態へと移行する。この「大当たり」状態では、アタッカと呼ばれる稼動入賞装置の可動板が開放され、遊技領域を流下するパチンコ球をアタッカ内部の大入賞口に入賞され易くなる。このアタッカの可動板は、所定時間経過後、或いは所定数のパチンコ球が入賞すると一旦閉じるが、その開放時に所定数のパチンコ球を入賞させているときには、再度開くことになる。このアタッカの可動板の開閉動作は、複数回行われ、また、大入賞口に入賞したときに払い出される賞球数は、入賞チャッカ、及び始動チャッカに入賞したときに比べて多いことから、「大当たり」状態に移行したときには、数多くのパチンコ球を賞球として獲得することができる。
【０００５】
このようなパチンコ機は、上述した遊技領域となる遊技盤や、遊技機の基本動作を行うための装置などが組み付けられる遊技機本体と、この遊技機本体の前方に配置され、遊技領域を視認するための窓を備えた前面扉とから構成されている。前面扉は、遊技機本体に対して回動自在に組み込まれており、通常は遊技盤を覆う閉じ位置に保持され、例えば遊技領域内で発生した球詰まりを解消する時など遊技の際の不具合を解消する際に閉じ位置から開き位置へと回転されることになる。
【０００６】
このように、前面扉を遊技機本体に対して回動可能とする構成の場合、前面扉の回動動作を妨害しないように、遊技機本体や、遊技機本体に組み付けられた部材は、その回動軌跡上に位置しないような形状となっている。このため、前面扉を閉じたときには、前面扉と遊技機本体とに隙間が生じることになる。このような隙間が生じているときには、この隙間からピアノ線や針金などを挿入し、始動チャッカに設けられた可動物や、アタッカの可動板を不正に開いた上体を作り出す、或いは遊技領域を流下するパチンコ球の流下軌跡を意図的に変化させる等の不正行為が行われ易いという欠点がある。
【０００７】
そこで、前面扉と遊技機本体との隙間を利用した不正行為を防止した遊技機として、前面扉を閉じたときに、前面扉の背面に設けられた突出部が遊技機本体の前面に設けられた溝に嵌合する遊技機が提案されている（例えば、特許文献１参照）。このように前面扉に設けられた突出部が隙間を塞ぐことで、遊技機本体と前面扉との隙間を利用したピアノ線や針金などを遊技領域内へ侵入させるような不正行為を防止している。
【特許文献１】特開２００５−２９６３４７号公報
【発明の開示】
【発明が解決しようとする課題】
【０００８】
しかしながら、前面扉と遊技機本体との隙間にバール等を挿入して、強引に隙間を確保して行う不正行為が近年増加しており、特許文献１の遊技機では、このような不正行為を防止することができない。
【０００９】
本発明は、上記課題を解決するためになされたものであり、前面扉と遊技機本体との隙間を強引に確保して行う不正行為を防止する遊技機を提供することを目的とする。
【課題を解決するための手段】
【００１０】
上記目的を達成するために、本発明の遊技機は、遊技盤が前面に組み付けられた遊技機本体に、透明板とそれを囲う窓枠とからなる前面扉を軸支し、この前面扉が遊技盤を露呈する開き位置と、遊技盤を覆う閉じ位置との間で回動自在である遊技機であって、遊技機本体の前面の軸側の端部には、前面扉に向かって突出し、前面扉の閉回転の方向に屈曲した本体側隙間封鎖部材が、前面扉を軸支する支軸の中心軸線に沿って設けられ、前面扉の背面の軸側の端部には、遊技機本体に向かって突出し、閉回転の方向に屈曲した扉側隙間封鎖部材が、支軸の中心軸線に沿って設けられており、前面扉が閉じ位置にあるとき、扉側隙間封鎖部材の先端部が遊技機本体と本体側隙間封鎖部材の先端部との間に入り込んで、前面扉と遊技機本体との間に生じる、それらの外側から遊技盤に連通する隙間を封鎖していることを特徴。
【００１１】
なお、透明板がヒンジ部材によって窓枠に軸着されており、扉側隙間封鎖部材がヒンジ部材と一体成形されていることが好ましい。
【発明の効果】
【００１２】
本発明の遊技機は、前面扉が閉じ位置にあるとき、扉側隙間封鎖部材の先端部が遊技機本体と本体側隙間封鎖部材の先端部との間に入り込んで、前面扉と遊技機本体との間に生じる隙間を封鎖しているので、隙間を強引に確保して行う不正行為を防止することができる。
【発明を実施するための最良の形態】
【００１３】
図１及び図２に示すように、パチンコ機（遊技機）１１は、基体となる本体部材（遊技機本体）１２に、上部扉１３と下部扉１４との２枚からなる前面扉１５が本体部材１２に対して回動自在となるように、ヒンジ部（図示せず）を介して組み付けられる。上部扉１３の中央には開口１３ａが設けられている。開口１３ａは、上部扉１３の裏側に組み付けられたガラス１６等の透明性を有する部材により遮蔽される。上部扉１３が閉じている状態では、遊技領域１７に設けられた障害釘（図示せず）、風車（図示せず）、及びセンター役物１８等の構造物や、入賞チャッカ１９、始動チャッカ２０、及びアタッカ２１等の入賞装置は、上記開口１３ａを遮蔽するガラス１６を介して視認される。また、遊技領域１７の最下部にはアウト口２２が設けられている。アウト口２２は、入賞装置に入賞しなかったパチンコ球を回収する。なお、本体部材１２は、パチンコ機１１をパチンコ店等の遊技場に固定するための固定枠２３に覆われている。
【００１４】
センター役物１８の略中央には、図柄可変表示装置２４が配設される。この図柄可変表示装置２４は、始動チャッカ２０にパチンコ球が入賞したなどの所定入賞条件に基づいて図柄の可変表示が開始され、所定の可変表示の後に図柄の停止表示を行い、「大当たり」状態に移行するか否かの抽選を遊技者に報知する。
【００１５】
アタッカ２１は、「大当たり」状態に移行すると開放される可動入賞装置である。このアタッカ２１が開放されると、例えば３０秒経過の後、或いはアタッカ２１の内部に設けられた入賞領域（図示せず）に例えば１０個のパチンコ球が入賞することによってアタッカ２１の開放が終了する。本実施形態では、アタッカ２１が開放されてから閉じるまでの期間を１ラウンドとして説明する。そして、アタッカ２１の開放時に、例えば１０個のパチンコ球が上述した入賞領域に入賞することによって継続条件が満足され、一旦アタッカ２１が閉じた後に、再度開放される。この「大当たり」状態中のラウンド数は、例えば１５ラウンドを上限として設定されている。最大でも１５ラウンドが終了すると、「大当たり」状態が終了する。なお、継続条件を、入賞領域にパチンコ球が１０個入賞することとしたが、これに限定する必要はなく、例えば入賞領域に継続入賞領域を設け、この継続入賞領域にパチンコ球が入賞することを継続条件としても良い。
【００１６】
下部扉１４には、供給皿２５や操作ハンドル２６等が設けられている。供給皿２５は、上面が開口された形状となっている。供給皿２５には、遊技を開始する際にパチンコ球が供給される他に、遊技領域１７を流下するパチンコ球が、遊技領域１７に設けられた入賞装置のいずれかに入賞したことを受けて払い出される賞球としてのパチンコ球が受容される。なお、供給皿２５内には、払出し口２７が設けられている。この払出し口２７を介して供給皿２５に賞球としてのパチンコ球や、貸し球としてのパチンコ球が払い出される。
【００１７】
この供給皿２５は、送給通路２８と連通しており、払出し口２７から払い出されたパチンコ球は供給皿２５の一端から他端に向けて転動した後、送給通路２８へと転動する。そして、送給通路２８の内部を案内される過程でパチンコ球が１列に整列される。なお、供給皿２５は、仕切り板２９で仕切られている。その仕切り板２９は、払出し口２７から払い出されたパチンコ球が直接送給通路２８へ転動することを防止している。
【００１８】
操作ハンドル２６は遊技を行う際に操作される。この操作ハンドル２６の操作を受けて内部に設けられた打出し用ボリューム（図示せず）の出力値が変化することによって、発射装置（図示せず）によるパチンコ球の打出し強さが変化する。なお、操作ハンドル２６を操作しない場合には、操作ハンドル２６は、発射装置におけるパチンコ球の打出しを行わない初期位置に位置する。
【００１９】
一方、上部扉１３は、開口１３ａを有した枠体３０と、開口１３ａをその裏側から遮蔽するガラス１６とから構成される。ガラス１６は、その周囲を、合成樹脂で形成される樹脂枠３１によって保護されている。樹脂枠３１には、図３に示すように、前面扉１３の回動軸側の上下２箇所に、ヒンジ部３２，３３が形成されている。ヒンジ部３２，３３には、後述する軸受け孔３４，３５に差し込まれる軸支突起３２ａ，３３ａが鉛直下方に向けて形成されている。
【００２０】
図３に示すように、上部扉１３の裏側には、金属製の補強部材３６が組み込まれている。補強部材３６には、その回動軸側の上下２箇所に、開口１３ａに沿ってヒンジ部３７，３８が形成されている。ヒンジ部３７には、軸受け孔３４が穿孔され、樹脂枠３１に形成された軸支突起３２ａが上方から挿通される。同様に、ヒンジ部３８には、軸受け孔３５が穿孔され、軸支突起３３ａが上方から挿通される。ガラス１６は、それを保護する樹脂枠３１が上部扉１３に軸着されることより回動自在となり、本体部材１２側に向けて開放される。
【００２１】
ところで、パチンコ機１１には、上部扉１３の回動動作によって上部扉１３と本体部材１２とが干渉しないよう、上部扉１３の回動軸側側面に隙間３９（図４、図５参照）が生じている。本発明のパチンコ機１１には、その隙間３９から遊技領域１７（図１、図２参照）内にピアノ線や針金などを挿入し、始動チャッカ２０に設けられた可動物や、アタッカ２１の可動板を不正に開けた状態を作り出す、或いは遊技領域１７を流下するパチンコ球の流下軌跡を意図的に変化させる等の不正行為が行われないよう、工夫がなされている。
【００２２】
上部扉１３裏側の補強部材３６には、ヒンジ部３７と３８とが結ぶ鉛直線上に沿って、封鎖金具４０が取り付けられている。封鎖金具４０は、略「く」の字型の断面が鉛直方向に連続する柱形状であり、補強部材３６から本体部材１２に向かって突出し、その先端部４０ａが上部扉１３の閉回転の方向Ｒへ「く」の字に屈曲するように配設されている（図４、図５参照）。
【００２３】
一方、本体部材１２の前面には、上部扉１３の封鎖金具４０に相当する高さに、封鎖金具４１が取り付けられている。封鎖金具４１は、上下端の取付け部を除いて、略「く」の字型の断面が鉛直方向に連続する柱形状であり、本体部材１２から上部扉１３に向かって突出し、その先端部４１ａが上部扉１３の閉回転の方向Ｒへ「く」の字に屈曲するように配設されている（図４、図５参照）。
【００２４】
図４に示すように、上部扉１３が閉じている状態では、本体部材１２とそれに取り付けられた封鎖金具４１の先端部４１ａとの間に、上部扉１３に取り付けられた封鎖金具４０の先端部４０ａが位置する。言い換えると、上部扉１３とそれに取り付けられた封鎖金具４０の先端部４０ａとの間に、本体部材１２に取り付けられた封鎖金具４１の先端部４１ａが位置する。これにより、パチンコ機１１側面の隙間３９から遊技領域１７に連通する経路は、塞がれることになる。封鎖金具４０の先端部４０ａ、及び封鎖金具４１の先端部４１ａは、上部扉１３の回動軸を中心とする円弧Ｔに沿って、互いが僅かに離間して平行になるように配設されており、上部扉１３の回動動作によって干渉しないようになっている。
【００２５】
以下、上記構成のパチンコ機１１の作用について説明する。上部扉１３は、遊技領域１７内でパチンコ球の詰まり等の故障が生じたときに、遊技場の係員により施錠が解除されて開かれる。図５に示すように、上部扉１３は、ヒンジ部（図示せず）を中心として開回転の方向Ｓに回転する。一方、上部扉１３を閉じるとき、上部扉１３は、ヒンジ部を中心として閉回転の方向Ｒに回転する。いずれのときも、上部扉１３は、封鎖金具４０及び４１が互いに干渉することなく回転する。
【００２６】
図６に示すように、上部扉１３が閉じられているとき、隙間３９にバールやドライバーなどの異物４２が差し込まれて隙間３９が広げられると、上部扉１３は、隙間３９付近が本体部材１２から離間する方向へ撓む。このとき、上部扉１３に取り付けられた封鎖金具４０は、本体部材１２から離間する方向へ移動し、本体部材１２に取り付けられた封鎖金具４１と面接触する。つまり、異物４２によってパチンコ機１１側面の隙間３９が広げられても、遊技領域１７へ連通する経路が塞がれた状態が維持される。
【００２７】
このように、パチンコ機１１は、上部扉１３が回動するとき、封鎖金具４０，４１が干渉するなどの障害を受けることはない。また、パチンコ機１１は、その側面の隙間３９が異物４２によって広げられても、遊技領域１７へ連通する経路が塞がれたままであり、遊技領域１７内にピアノ線や針金などが遊技領域１７へ挿入されることはない。つまり、バールやドライバーなどを用いて隙間３９を強引に確保して行う不正行為を防止することができる。
【００２８】
なお、上記実施形態において、パチンコ機１１の場合を例に説明したが、これに限定されるのではなく、スロットマシン、その他の遊技機などにも応用可能である。
【００２９】
また、上記実施形態において、封鎖金具４０は、補強部材３６に取り付けられている場合を例に説明したが、これに限定されるのではなく、補強部材３６と一体成形されているのであっても良い。
【図面の簡単な説明】
【００３０】
【図１】パチンコ機の外観斜視図である。
【図２】上部扉が開かれた状態のパチンコ機の外観斜視図である。
【図３】図２に示す領域Ｘの拡大図である。
【図４】上部扉が閉じられた状態のパチンコ機の縦断面図である。
【図５】上部扉が開かれた状態のパチンコ機の縦断面図である。
【図６】異物によって隙間が広げられた状態のパチンコ機の縦断面図である。
【符号の説明】
【００３１】
１１  パチンコ機
１２  本体部材
１３  上部扉
１３ａ  開口
１４  下部扉
１５  前面扉
１６  ガラス
１７  遊技領域
３０  枠体
３１  樹脂枠
３２，３３  ヒンジ部
３２ａ，３３ａ  軸支突起
３４，３５  軸受け孔
３６  補強部材
３７，３８  ヒンジ部
３９  隙間
４０，４１  封鎖金具
４０ａ，４１ａ  先端部
４２  異物
Ｒ  閉回転の方向
Ｓ  開回転の方向
Ｔ  円弧
【図１】
2008093350.tif 000003
【図２】
2008093350.tif 000004
【図３】
2008093350.tif 000005
【図４】
2008093350.tif 000006
【図５】
2008093350.tif 000007
【図６】
2008093350.tif 000008